(57)【要約】【課題】非接触電子タグを用いた物品管理システムにおいて、読取装置の接続定義と物品管理上の論理名称との割り付け定義作業を容易にする。【解決手段】画面には、ウィンドウ１、コンピュータの本体を代表するアイコン２ａ、コンピュータのモニタを代表するアイコン２ｂ、非接触電子タグ読取装置を代表するアイコン４ａ、４ｂ、収納台の描画５が表示されている。アイコン４ａ、４ｂはプルダウンメニュー６を有し、読取装置に割り当てられる接続定義、あるいはその詳細設定内容、及び論理名称に関する編集機能を具備する。読取装置の接続定義と物品管理上の論理名称との割り付け定義編集作業を物品管理システムを表現する配置図上で行うことにより、機器の配置を描画画面上で確認しながら各機器の接続定義と論理名称の割り当て定義を編集する事が可能となり、極めて効率的な編集作業が可能となる。【選択図】  図２
2004238175.tif 000002
【特許請求の範囲】
【請求項１】
非接触電子タグ読取装置の接続定義及び論理名称の編集をコンピュータに実行させるためのプログラムであって、
一つ以上のウィンドウを描画するステップと、前記各ウィンドウ上に前記非接触電子タグ読取装置のアイコンを該読取装置の設置位置に対応させて描画するステップと、前記アイコンについて前記非接触電子タグ読取装置の接続定義及び論理名称を登録するステップとをコンピュータに実行させることを特徴とするプログラム。
【請求項２】
前記アイコンは、前記非接触電子タグ読取装置の接続定義名を有することを特徴とする請求項１記載のプログラム。
【請求項３】
前記アイコンの選択により表示されるメニューにより、前記非接触電子タグ読取装置の接続定義及び論理名称の編集が可能であることを特徴とする請求項１または２記載のプログラム。
【請求項４】
前記接続定義はコンピュータに接続される外部機器またはコンピュータネットワーク上の機器に与えられる接続機器名、物理的通信定義、物理的通信定義の呼び出し名のいずれかであることを特徴とする請求項１記載のコプログラム。
【請求項５】
前記論理名称は物品の保管、棚卸、入荷、出荷、販売、返品のいすれかに関わる名称であることを特徴とする請求項１記載のプログラム。
【請求項６】
前記ウィンドウ上に配置された一つ以上のアイコンの有する非接触電子タグ読取装置の接続定義と論理名称との組み合わせを総称するのに用いられる名称を前記ウィンドウの名称として登録するステップを有することを特徴とする請求項１記載のプログラム。
【請求項７】
前記非接触電子タグ読取装置の収納場所を示す図を前記ウィンドウ上に描画するステップを具備し、前記非接触電子タグ読取装置のアイコンを描画するステップにて、前記アイコンを前記図における前記非接触電子タグ読取装置の収納位置に描画することを特徴とする請求項１記載のプログラム。
【請求項８】
前記物品管理システムが配置される建造物のフロアの少なくとも一部を示す図を前記ウィンドウ上に描画するステップを具備し、前記非接触電子タグ読取装置のアイコンを描画するステップにて、該アイコンを前記図における前記非接触電子タグ読取装置の配置位置に描画することを特徴とする第１項記載のプログラム。
【請求項９】
前記建造物は製造工場、倉庫、百貨店、店舗のいずれかに関わることを特徴とする第８項記載のプログラム。
【請求項１０】
前記フロアは物品の製造、保管、販売、流通のいずれかに関わることを特徴とする第８項記載のプログラム。
【発明の詳細な説明】
【０００１】
【発明の属する技術分野】
本発明は、非接触電子タグを用いた物品管理システムに関わり、特に物品管理を行うソフトウェアの動作環境において、ソフトウェアに与える非接触電子タグ読取装置の接続定義及び論理名称の編集を支援するためのコンピュータプログラムに関わる。
【０００２】
【従来の技術】
非接触電子タグを用いた物品管理システムが特許文献１により提案されている。このような物品管理システムにおいて、非接触電子タグは非接触電子タグ読取装置により検出されて内部情報が読み取られる。この非接触電子タグ読取装置（以下、読取装置と略称することもある）は、物品管理システムがコンピュータソフトウエアを用いて構成された場合には、当該ソフトウェアが搭載されるコンピュータの外部装置あるいは当該コンピュータが接続されるネットワーク上の機器として配置される。
【０００３】
図１０は、このような物品管理システムの一例を示す図である。図１０の物品管理システムはコンピュータ１０と複数の読取装置１１ａ、１１ｂ、１１ｃ、及びネットワーク１２とを具備する。そして、コンピュータ１０と複数の読取装置１１ａ、１１ｂ、１１ｃとはネットワーク１２を介して相互に接続され、物品管理システム全体はフロア９上に配置されている。
【０００４】
図１０にはフロア９の構造として階段、仕切り壁（破線）等も表示されているが、説明を簡易にするため、これらのフロア構造を総称してフロア９としている。図４においてフロア９は製造工場、倉庫、百貨店、小売販売店等に関わる建造物内のフロアであり、すなわち、物品の製造、保管、販売、流通等の業務がなされる場所である。
【０００５】
このように配置、接続された図１０の物品管理システムにおいて、コンピュータ１０はネットワーク１２を介し、読取装置１１ａ、１１ｂ、１１ｃの検出する非接触電子タグに関する情報、あるいは読取装置１１ａ、１１ｂ、１１ｃが読み取る非接触電子タグの内部情報を取得し、これに物品管理における事象名、すなわち論理名称を割り当てて物品管理を遂行する。
【０００６】
しかし、本来、コンピュータ１０が認識し得る読取装置１１ａ、１１ｂ、１１ｃの呼び出し名はコンピュータに接続された外部機器あるいはコンピュータネットワーク上の機器に対し与えられる接続機器名（キーボード、マウス、通信ポート等。非接触電子タグ読取装置が通信ポートに接続される場合、通信ポート名で呼ばれ、コンピュータネットワーク上の機器として配置される場合、ＩＰアドレスで呼ばれる。）、物理的通信定義（通信プロトコルのことであり、通信ポートに接続される周辺機器であればボーレート、パリティー等の定義、コンピュータネットワーク上の機器であればＴＣＰ／ＩＰ等のプロトコル定義。）、物理的通信定義の呼び出し名（無線ＬＡＮ、有線ＬＡＮ、ダイアルアップ１、２等）等の物理的な接続定義であり、これらは物品管理としては全く有意なものではなく、よって、各読取装置の接続定義に物品管理として有意な論理名称を割り当てて物品管理を遂行する事となる。
【０００７】
また、読取装置の接続定義は接続が変更されない限り不変なものであるが、こうした読取装置の接続定義に対する論理名称の割り当ては一様、不変ではなく、物品管理業務の形態の変化に追随して変更される。すなわち、仮に棚卸業務を想定した場合、棚卸の実施時には全ての入出荷業務を停止し、短期間に全ての保管物品の情報を読み取ろうとするため、接続される全ての読取装置に対し、「在庫」に関連する論理名称を割り当てようとするが、通常の入荷、出荷業務を遂行する際には一部の読取装置には「入荷」、残る読取装置には「出荷」に関連する論理名称が割り当てられる等、年間計画、業務進捗状況等により逐次割り当て論理名称の変更が行われる。物品管理システムのソフトウェアの動作環境としては、こうした読取装置の接続定義と論理名称の割り当て定義とを物品管理業務の日程、状況、種類に合わせ複数有することが必要である。
【０００８】
図１１は、物品管理システムに動作環境の一部として与えられる非接触電子タグ読取装置の接続定義及び論理名称の割り当て定義に関する従来の編集画面を示す図である。
【０００９】
図１１の従来の編集画面は図１０の物品管理システムに準じて構成されており、よって、編集対象となる読取装置の名称は読取装置１１ａ、１１ｂ、１１ｃとして示されている。
【００１０】
図１１の従来例は複数の動作モードの名称を記入する欄（図１１に「第一の動作モードの名称」、「第二の動作モードの名称」、「第三の動作モードの名称」と表示）と複数の読取装置１１ａ、１１ｂ、１１ｃの接続定義を記入する欄（図１１に「読取装置１１ａの接続定義」、「読取装置１１ｂの接続定義」、「読取装置１１ｃの接続定義」と表示）と複数の読取装置１１ａ、１１ｂ、１１ｃに与えられる論理名称の記入欄（図１１に「第ｎの動作モードにおける読取装置１１ａの論理名称」、「第ｎの動作モードにおける読取装置１１ｂの論理名称」、「第ｎの動作モードにおける読取装置１１ｃの論理名称」、（ｎは一または二または三）と表示）を有し、同一読取装置の接続定義の記入欄と読取装置の論理名称の記入欄とはそれぞれ対をなして一行を構成し、読取装置１１ａ、１１ｂ、１１ｃに対する接続定義の記入欄と論理名称の記入欄との対が一組となり各動作モードの名称記入欄に続いて記載され、構成されている。
【００１１】
このように構成された図１１の従来例において、図１０の物品管理システムの各動作モードにおける読取装置１１ａ、１１ｂ、１１ｃの接続定義及び論理名称の割り当て定義を行うことになるが、定義の編集に当たっては、先ず、動作モードの名称を記入する事から始める。すなわち、具体的な事例として棚卸、入出荷、返品等の業務を想定するならば、第一の動作モードの名称記入欄には「棚卸」、第二、第三の動作モードの名称記入欄にはそれぞれ「入出荷」、「返品」と記載する事となる。
【００１２】
次いで、読取装置１１ａ、１１ｂ、１１ｃの接続定義名の設定となるが、この記入欄は複数あるものの、具体的な接続が変更されない限り同一の接続定義となるため、読取装置毎に共通に設定される。仮に読取装置１１ａ、１１ｂ、１１ｃがコンピュータネットワーク上の機器であり、その接続名称がＲＷａ、ＲＷｂ、ＲＷｃであるとすれば、読取装置１１ａの接続定義記入欄には全て共通に「ＲＷａ」、読取装置１１ｂ、１１ｃの接続定義記入欄にはそれぞれ共通に「ＲＷｂ」、「ＲＷｃ」と記載される事になる。
【００１３】
最後に各動作モードにおける読取装置１１ａ、１１ｂ、１１ｃの論理名称の設定となるが、第１の動作モード「棚卸」において全ての読取装置が「在庫」と言う論理名称を持つとすれば、第１の動作モードにおける読取装置１１ａ、１１ｂ、１１ｃの論理名称記入欄には供に「在庫」と記載される。
【００１４】
同様に第二の動作モードである「入出荷」において、読取装置１１ａ、１１ｂ、１１ｃが順に「入荷」、「出荷」、「出荷」と言う論理名称を持つとすれば、第二の動作モードにおける読取装置１１ａ、１１ｂ、１１ｃの論理名称記入欄にはそれぞれ「入荷」、「出荷」、「出荷」と記載される事になる。「棚卸」のときのように全ての読取装置に共通に「棚卸」と記載するのは容易であるが、「入出荷」のように読取装置個別に論理名称が異なる場合、各読取装置のフロア９における配置を特定しながら論理名称を決める事となる。
【００１５】
以下同様に、全ての動作モードに対し、動作モードの名称、読取装置の接続定義、読取装置の論理名称を書き出す事により、図１０の物品管理システムにおける読取装置１１ａ、１１ｂ、１１ｃの接続定義及び論理名称の割り当て定義の編集が完了する。
【００１６】
図１２は、図１１の従来例において編集を完了した接続定義と論理名称の割り当て定義の事例を示す図である。図１２では、動作モードの名称記入欄には「棚卸」、「入出荷」、「返品受」等の物品管理業務の名称が記入され、各業務名称、すなわち動作モードの名称の下に、当該動作モードにおける各読取装置の接続定義名「ＲＷａ」、「ＲＷｂ」、「ＲＷｃ」に対する論理名称が「在庫」、「入荷」、「出荷」等々と記載され、各動作モードにおいて各読取装置が取得する非接触電子タグに関する情報、あるいは読取装置が読み取る非接触電子タグの内部情報に対し与えられる論理名称、すなわち物品管理上の事象名が定義されている。
【００１７】
【特許文献１】
特開２００１−１７１８１１号公報
【００１８】
【発明が解決しようとする課題】
以上説明したように、従来の接続定義及び論理名称の割り当て定義の編集画面では、読取装置の配置に関する情報が得られないため、各読取装置のフロア内における配置を別途確認しなくてはならないと言う欠点があった。
【００１９】
また、昨今は無線によるコンピュータネットワークの構築が容易となり、ネットワーク上に配置された読取装置を自由に移動する事が可能であるが、こうした移動が行われた場合、移動先の読取装置に割り当てられた接続定義名を確認する作業は非常に煩雑となる。
【００２０】
更に、一般のコンピュータ周辺機器の場合、同一機能、同一機種を複数接続する事は少ないので、その接続定義の識別は比較的容易である。しかし、特に物品管理システムにおいては、物品管理業務が同時に複数の作業者により行われるため、同一機能、同一機種の多数の読取装置が接続され、利用されるので、その接続定義の識別は煩雑なものとなる。
【００２１】
また、読取装置の動作環境を変更しようとした場合、接続定義名の内容を別途呼び出さなければならないと言う欠点があった。一般に読取装置の動作環境としては通信レート、パリティー条件等々の設定が必要であり、またネットワーク上の機器に対しては通信プロトコルの設定の他、ネットワーク上の物理的アドレス、セキュリテイー上のパラメータ等、多岐に渡る設定が必要であり、接続定義名はこれらの設定を一括代表する名称である。
【００２２】
従来の編集画面においては、これらの設定が接続定義名として一括代表して扱える便利さはあるものの、一度、設定を変更しようとすると接続定義名に代表される各種設定を別途呼び出し、編集、修正しなければならないという煩わしさがあった。
【００２３】
したがって、本発明は、コンピュータと、コンピュータに接続された一つ以上の非接触電子タグ読取装置とを有する物品管理システムにおいて、非接触電子タグの接続定義及び論理名称の割り当て時に、各読取装置の位置の確認を不要にすることを目的とする。
【００２４】
また、本発明は、コンピュータと、コンピュータに接続された一つ以上の非接触電子タグ読取装置とを有する物品管理システムにおいて、読取装置の移動が行われた場合、移動先の読取装置に割り当てられた接続定義名を確認する作業を容易にすることを目的とする。
【００２５】
更に、本発明は、コンピュータと、コンピュータに接続された一つ以上の非接触電子タグ読取装置とを有する物品管理システムにおいて、同一機能、同一機種の多数の読取装置が接続されていたとしても、それらの接続定義の識別を容易にすることを目的とする。
【００２６】
また、本発明は、コンピュータと、コンピュータに接続された一つ以上の非接触電子タグ読取装置とを有する物品管理システムにおいて、読取装置の動作環境の変更を容易にすることを目的とする。
【００２７】
【課題を解決するための手段】
本発明は、非接触電子タグ読取装置の接続定義及び論理名称の編集をコンピュータに実行させるためのプログラムであって、一つ以上のウィンドウを描画するステップと、前記各ウィンドウ上に前記非接触電子タグ読取装置のアイコンを該読取装置の設置位置に対応させて描画するステップと、前記アイコンについて前記非接触電子タグ読取装置の接続定義及び論理名称を登録するステップとをコンピュータに実行させることを特徴とする。このように構成したことにより、非接触電子タグの接続定義及び論理名称の割り当て時に、各読取装置の位置の確認が不要になる。
【００２８】
また、本発明は、前記アイコンが前記非接触電子タグ読取装置の接続定義名を有することを特徴とする。このように構成したことにより、読取装置の移動が自由に行われたとしても、その読取装置のアイコンを同様に移動する事により、容易に読取装置の配置を再現し、接続定義名を確認する事が可能となる。そして、物品管理システムに同一機能、同一機種の多数の非接触電子タグ読取装置が接続された場合においても、画面上に配置されたアイコンの名称により、個々の接続定義名を容易に識別する事が可能となる。
【００２９】
更に、本発明は、前記アイコンの選択により表示されるメニューにより、前記非接触電子タグ読取装置の接続定義及び論理名称の編集が可能であることを特徴とする。このように構成したことにより、読取装置の動作環境の変更を、その読取装置のアイコンの選択により表示されるメニューから容易に行うことができる。
【００３０】
【発明の実施の形態】
以下、本発明の実施の形態について、図面を参照しながら詳細に説明する。
図１は本発明の実施の形態の物品管理システムにおける非接触電子タグ読取装置の接続定義と論理名称との関係定義を編集するコンピュータプログラムの一例の画面表示を示す図である。
【００３１】
図１の画面表示ではウィンドウ１、コンピュータの本体を代表するアイコン２ａ、コンピュータのモニタを代表するアイコン２ｂ、非接触電子タグ読取装置を代表するアイコン４ａ、４ｂ、収納台の描画５を有し、コンピュータの本体を代表するアイコン２ａ、コンピュータのモニタを代表するアイコン２ｂ、非接触電子タグ読取装置を代表するアイコン４ａ、４ｂ、収納台の描画５はウィンドウ１上に配置され構成されている。これらの装置は、図１０の物品管理システムと同様、ネットワークにより互いに接続されている。また、本実施の形態のコンピュータプログラムは、図１のアイコン２ａに対応するコンピュータ、あるいはそのコンピュータにネットワークを介して接続された他のコンピュータ（図示せず）に搭載されている。
【００３２】
また、図１においてウィンドウ１は描画機能を有し、表示するデザイン、アイコンの配置等は自由に変更する事ができるものである。また、読取装置を代表するアイコン４ａ、４ｂはプルダウンメニューを有し、読取装置を代表するアイコン４ａ、４ｂに割り当てられる接続定義、あるいはその詳細設定内容、及び論理名称に関する編集機能を具備する。更に、アイコン４ａ、４ｂの下端には、それらのアイコンに対応する読取装置の接続定義名が表示される。
【００３３】
図１において、ウィンドウ１の表示画面が店舗の接客台を表現したものと仮定して説明する。表示画面における機器の配置の編集は、表示画面上のツールバー（図示せず）等に配置されている各機器を代表するアイコンを移動、削除、コピー、追加等し、実際の機器配置に則した描画をウィンドウ１上に表現する。仮にアイコン４ａに代表される読取装置が入荷登録用のものであれば、開店前の入荷登録業務における接続定義及び論理名称に関する編集を行う場合はアイコン４ａを収納台の描画５の上、コンピュータのモニタを代表するアイコン２ｂの付近に配置して編集を行う。何故ならば、入荷登録作業においては入荷登録に用いる読取装置を収納台の天板上に置き用いると想定されるからである。同様に、開店後の接客、販売業務における接続定義と論理名称に関する編集を行う場合、アイコン４ａは収納台の描画５の収納棚位置、すなわち図１及び図２に示される配置におかれる。何故ならば、接客、販売業務においては入荷登録に用いる読取装置は不要であり、顧客の目に触れない収納台の収納棚位置に収納されると想定されるからである。
【００３４】
図２にプルダウンメニュー６の表示例を示す。プルダウンメニュー６には論理名称の記入欄の他、接続ポート番号、チャネル番号、通信レート等、アイコン４ｂが代表する非接触電子タグ読取装置の動作環境が示され、非接触電子タグ読取装置の接続定義及びびその詳細と論理名称が容易に確認、編集できるように構成されている。プルダウンメニュー等の編集機能は当該アイコンの選択、マウスによるクリック等により引き出す事が可能であり、また、類似の定義を有するアイコンが必要であれば複製により同一定義アイコンを作成し、論理名称等、一部の定義を編集すれば良い。
【００３５】
このように本実施の形態によれば、各種の物品管理業務に対し、非接触電子タグ読取装置を始め各種の機器を具体的な描画の上に配置する事により、各機器の配置が視覚的に容易に確認できる環境で編集作業を進める事ができる。また、非接触電子タグ読取装置の接続定義をプルダウンメニューにより容易に呼び出し、かつ、詳細に渡り編集する事が可能である。
【００３６】
図３は、本実施の形態のコンピュータプログラムが非接触電子タグ読取装置の接続定義と論理名称との関係定義を編集するときの初期画面の一例を示す図である。この初期画面より、図５、図８へと画面表示のデザインを進める
【００３７】
この初期画面は、コンピュータ画面８、ツールバー１４、ウィンドウを代表するアイコン１３、非接触電子タグ読取装置を代表するアイコン４、コンピュータを示すアイコン２を具備する。ツールバー１４はコンピュータ画面８の上縁部に配置され、ウィンドウを示すアイコン１３、非接触電子タグ読取装置を代表するアイコン４、コンピュータを示すアイコン２ａはツールバー１４上に描画され、テンプレートとして用いられる事を示している。ここで、非接触電子タグ読取装置を代表するアイコン４はテンプレートとして標準的な接続定義を保有するものとする。
【００３８】
また、図４は、図３におけるウィンドウを代表するアイコン１３の有する処理手順を示す図である。この処理手順は、ウンドウの描画（ステップＡ１）、動作モード記載欄の取得（ステップＡ２）、動作モード名の取得（ステップＡ３）、動作モード名の記録（ステップＡ４）の各工程を有し、記載順に繋がれている。動作モード名の取得の際には、ユーザに対して動作モード名の入力を促す文字等が画面に表示される。
【００３９】
このように構成された図３において、非接触電子タグ読取装置の接続定義と論理名称との関係定義の編集は先ず、ウィンドウを代表するアイコン１３をコンピュータ画面８上にコピー、拡大、配置する事で進められる。すなわち、ウィンドウを代表するアイコン１３がコンピュータ画面８上にコピー、拡大、配置されると、ウィンドウを代表するアイコン１３は図４の処理手順により、ウィンドウの形状をコンピュー画面８上に描画し（ステップＡ１）、ついで、非接触電子タグ読取装置の接続定義と論理名称との関係定義を記録するためのコピュータ上のファイル等に自己の描画に対応する動作モードの記載欄ないしは記載領域を獲得する（ステップＡ２）。ユーザがコンピュータのキーボード等を用いて、ウィンドウ名称を入力すると、自己のウィンドウ名称として動作モード名を取得し（ステップＡ３）、これを取得した動作モードの記載欄に動作モード名として記録する（ステップＡ４）。
【００４０】
図５はこうした操作を繰り返し、３つのウィンドウを図３に加えた図である  図３より継承する構成については説明を省略するが、図５は図３の構成に加えウィンドウ１ａ、１ｂ、１ｃを有し、ウィンドウ１ａ、１ｂ、１ｃはコンピュータ画面８上に重ね合わされ配置されている。また、ウィンドウ１ａ、１ｂ、１ｃはその作成過程において動作モード名として、それぞれ「棚卸」、「入出荷」、「返品受」の名称を与えられたものとする。
【００４１】
図６は図５の描画を完成した時点での非接触電子タグ読取装置の接続定義と論理名称との関係定義の記録を示す図である。図６の非接触電子タグ読取装置の接続定義と論理名称との関係定義の記録は「棚卸」、「入出荷」、「返品受」の関係定義名ないし動作モード名を有し、各動作モード名はそれぞれの関係定義記載欄（各関係定義名下の波線で囲まれた空白行）を保有し構成されている。
【００４２】
次にウィンドウ１ａの内部情報に関する編集について説明する。図７は図３における非接触電子タグの読取装置を代表するアイコンに用いて好適な処理手順を示す図である。図７の処理手順はイベントの解析（ステップＢ１）、アイコンの描画（ステップＢ２）、接続定義記載欄の取得（ステップＢ３）、論理名称記載欄の取得（ステップＢ４）、接続定義のコピー（ステップＢ５）、論理名称の取得（ステップＢ６）、論理名称の記録（ステップＢ７）、プルダウンメニューの表示（ステップＢ８）、接続定義編集情報の取得（ステップＢ９）、接続情報の書き換え（ステップＢ１０）の各工程を有する。アイコンの描画工程とプルダウンメニューの表示工程はイベントの解析工程よりイベントの内容に応じ、コピーの場合はアイコンの描画工程に、ダブルクリックの場合はプルダウンメニューの表示工程にそれぞれ分岐して接続される。アイコンの描画、接続定義記載欄の取得、論理名称記載欄の取得、接続定義のコピー、論理名称の取得、論理名称の記録が記載順に繋がれ構成され、プルダウンメニューの表示、接続定義編集情報の取得、接続情報の書き換えの各工程が記載順に繋がれ構成されている。論理名称の取得及び接続定義編集情報の取得の際には、ユーザに対して論理名称あるいは接続定義編集情報の入力を促す文字等が画面に表示される。
【００４３】
図８は、図７の処理手順を有する非接触電子タグの読取装置を代表するアイコン４ａ、４ｂ、４ｃ等を図５のウィンドウ上に配置し、更に非接触電子タグ読取装置の接続定義と論理名称との関係定義の編集を進めた画面表示を示す図である。図５より継承する構成については説明を省略するが、図８は図５の構成に加えて、フロアの描画７、非接触電子タグの読取装置を代表するアイコン４ａ、４ｂ、４ｃを有し、フロアの描画７、非接触電子タグの読取装置を代表するアイコン４ａ、４ｂ、４ｃはウィンドウ１ａの上に配置され構成されている。なお、フロアの描画７はフロア外周線、コンピュータ、階段等の描画を有するが簡易のため説明は省略する。
【００４４】
このように構成された図８において、アイコン４ａ、４ｂ、４ｃが配置される際に、図７の処理手順により、各アイコンに対応する接続定義が非接触電子タグ読取装置の接続定義と論理名称との関係定義として記録される事となる。
【００４５】
すなわち、非接触電子タグ読取装置を代表するアイコン４ａ  、４ｂ  、４ｃ  がツールバー１４上のアインコン４よりコピーされ、ウィンドウ１ａ上に生成されると、図１０の処理手順はこれをコピーイベントとして解析、アイコンの描画を行う。次に、自己のアイコンに対応する接続定義及び論理名称を記載する領域を非接触電子タグ読取装置の接続定義と論理名称との関係定義の記録領域に確保し、接続定義欄にはアイコン４がテンプレートとして有する標準的な接続定義をコピー、次いで、自己に割り当てられる論理名称を取得し、これを論理名称として記録する。
【００４６】
アイコン４の保有する接続定義をそのまま用いて良いのであれば更に編集を加える必要はないが、変更が必要であれば該当するアイコンをダブルクリックする事となる。図７の処理手順によればアイコンがダブルクリックされるとイベント解析によりプルダウンメニューが表示され、次いで接続定義編集情報を取得、新たな接続定義情報に書き換える事が可能となる。
【００４７】
図９はこのような手順により図６の非接触電子タグ読取装置の接続定義と論理名称との関係定義に非接触電子タグ読取装置を代表するアイコン１ａ、１ｂ、１ｃに関わる接続定義情報が加えられた図８に対応する新たな非接触電子タグ読取装置の接続定義と論理名称との関係定義を示す図である。図６の非接触電子タグ読取装置の接続定義と論理名称との関係定義との重複部分の説明は簡略のため省略するが、図９の非接触電子タグ読取装置の接続定義と論理名称との関係定義の記録は動作モード名「棚卸」の下にアイコン１ａ、１ｂ、１ｃの関係定義を保有し構成されている。
【００４８】
ここで、接続定義「ＲＷａ」、「ＲＷｂ」、「ＲＷｃ」並びに論理名称「在庫」はアイコン１ａ、１ｂ、１ｃの配置（コピー）、編集においてアイコン１ａ、１ｂ、１ｃにそれぞれ与えられた接続定義、あるいは共通に与えられた論理名称である。
【００４９】
なお、図９において接続定義「ＲＷａ」、「ＲＷｂ」、「ＲＷｃ」は簡易のため代表名で表現しているが、これらの接続定義は多数の項目を書き並べても良いが、また、別途ファイル等に記載し、その名称を持って代表とする接続定義名としても良い事は言うまでも無い。また、以上の説明では、プルダウンメニューを用いて各機器の接続定義と論理名称の割り当て定義の編集を行う例について説明したが、アイコンの選択により画面に表示されるメニューであれば他のメニューでも良く、例えばビジュアルスタジオ（商標）において画面に表示されるアイコンの属性定義のテーブルを用いて編集を行うように構成しても良い。
【００５０】
【発明の効果】
以上説明したように、本発明によれば、物品管理システムの構成、フロア上の各機器の配置を描画画面上で確認しながら各機器の接続定義と論理名称の割り当て定義を登録する事が可能となり、極めて効率的な編集作業が可能となる。
【００５１】
また、読取装置が移動される場合においても編集画面のアイコンを同様に移動する事により、容易に読取装置の配置を再現し、接続定義を確認する事が可能となる。
【００５２】
更に、物品管理システムに同一機能、同一機種の多数の非接触電子タグ読取装置が接続された場合においても、画面上の配置されたアイコンの名称により、個々の接続定義名を容易に識別する事が可能となる。
【００５３】
また、非接触電子タグ読取装置を代表するアイコンと非接触電子タグ読取装置の動作環境定義とを結びつける事により、読取装置の動作環境を変更しようとした場合、その読取装置のアイコンを選択することにより対象となる動作環境定義の内容を呼び出す事が可能となり、効率的、かつ安全に非接触電子タグの動作環境変更を行う事が可能となる。
【００５４】
更に、アイコン、ウィンドウの複製により、類似の物品管理業務に対する非接触電子タグ読取装置の接続定義と論理名称の関連定義を容易に作成する事が可能となる。
【図面の簡単な説明】
【図１】本発明の実施の形態の物品管理システムにおける非接触電子タグ読取装置の接続定義と論理名称との関係定義を編集するコンピュータプログラムの一例の画面表示を示す図
【図２】本発明の実施の形態におけるプルダウンメニューを表示例を示す図
【図３】本発明の実施の形態における初期画面の一例を示す図
【図４】図３におけるウィンドウを代表するアイコンの有する処理手順を示す図
【図５】図３に３つのウィンドウを加えた図
【図６】図５の描画を完成した時点での非接触電子タグ読取装置の接続定義と論理名称との関係定義の記録を示す図
【図７】図３における非接触電子タグの読取装置を代表するアイコンに用いて好適な処理手順を示す図
【図８】図７の処理手順を有する非接触電子タグの読取装置を代表するアイコン等を図５のウィンドウ上に配置し、更に非接触電子タグ読取装置の接続定義と論理名称との関係定義の編集を進めた画面表示を示す図
【図９】図８に対応する新たな非接触電子タグ読取装置の接続定義と論理名称との関係定義を示す図
【図１０】従来の物品管理システムの一例を示す図
【図１１】非接触電子タグ読取装置の接続定義及び論理名称の割り当て定義に関する従来の編集画面を示す図
【図１２】図１１において編集を完了した接続定義と論理名称の割り当て定義の事例を示す図である。
【符号の説明】
１、１ａ、１ｂ、１ｃ  ウィンドウ
２ａ  コンピュータ本体を代表するアイコン
２ａ  コンピュータのモニタを代表するアイコン
４、４ａ、４ｂ、４ｃ  非接触電子タグの読取装置を代表するアイコン
５  収納台の描画
６  プルダウンメニュー
７  フロアの描画
８  コンピュータ画面
９  フロア
１０  コンピュータ
１１ａ、１１ｂ、１１ｃ  非接触電子タグの読取装置
１２  ネットワーク
１３  ウィンドウを代表するアイコン
１４  ツールバー
【図１】
2004238175.tif 000003
【図２】
2004238175.tif 000004
【図３】
2004238175.tif 000005
【図４】
2004238175.tif 000006
【図５】
2004238175.tif 000007
【図６】
2004238175.tif 000008
【図７】
2004238175.tif 000009
【図８】
2004238175.tif 000010
【図９】
2004238175.tif 000011
【図１０】
2004238175.tif 000012
【図１１】
2004238175.tif 000013
【図１２】
2004238175.tif 000014